(57)【要約】【課題】  連続性よく直線状、矩形状、円形状、三角形状、菱形状の密集合形態、囲い集合形態あるいはその一部または全体を利用した縁どり集合形態といった各種の植栽帯を形成することができる、取り扱いやすいものとする。【解決手段】  正三角形Ａのほぼ頂点部Ａ１〜Ａ３を中心としてほぼ同じ径Ｂで描かれる外向きに凸の外向き円弧Ｃと、これらの外向き円弧Ｃとほぼ同径Ｂで外接円関係をほぼ満足して連続する内向きに凸の内向き円弧Ｄとからなる平面形状を有したものとすることにより、上記の目的を達成する。【選択図】  図1
2004215655.tif 000002
【特許請求の範囲】
【請求項１】
正三角形のほぼ頂点部を中心としてほぼ同じ径で描かれる外向きに凸の外向き円弧と、これらの外向き円弧とほぼ同径で外接円関係をほぼ満足して連続する内向きに凸の内向き円弧とからなる平面形状を有したことを特徴とするプランタ。
【請求項２】
正三角形のほぼ頂点部を中心としてほぼ同じ径で描かれる外向きに凸の外向き円弧と、これらの外向き円弧とほぼ同径で外接円関係をほぼ満足して連続する内向きに凸の内向き円弧とからなる平面形状を有し、各外向き円弧の内側に植栽ポケットを設けたことを特徴とするプランタ。
【請求項３】
正三角形のほぼ頂点部を中心としてほぼ同じ径で描かれる外向きに凸の外向き円弧と、これらの外向き円弧とほぼ同径で外接円関係をほぼ満足して連続する内向きに凸の内向き円弧とからなる平面形状を有し、各外向き円弧の内側と中央部とのそれぞれに植栽ポケットを設けたことを特徴とするプランタ。
【請求項４】
正三角形のほぼ頂点部を中心として、その正三角形の一辺の長さのほぼ１／２の径で描かれる外向きに凸の外向き円弧と、これらの外向き円弧とほぼ同径で外接円関係を満足して連続する内向きに凸の内向き円弧とからなる平面形状を有したことを特徴とするプランタ。
【請求項５】
植栽ポケットの下まわりは植栽用の貯水部としてある請求項２〜４のいずれか１項に記載のプランタ。
【請求項６】
正三角形のほぼ頂点部を中心としてほぼ同じ径で描かれる外向きに凸の外向き円弧と、これらの外向き円弧とほぼ同径で外接円関係をほぼ満足して連続する内向きに凸の内向き円弧とからなる平面形状を有し、各外向き円弧の内側に植栽ポケットを設け、これら植栽ポケットの下まわりを植栽用の貯水部とし、中央部に貯水部の水位を高さ変化で外部表示するフロートを設けたことを特徴とするプランタ。
【請求項７】
植栽ポケットは、植栽鉢を嵌め合わせる凹部である請求項２〜６のいずれか１項に記載のプランタ。
【請求項８】
植栽ポケットを持った蓋部と、貯水部を持った本体とに分離できる請求項５、６のいずれか１項に記載のプランタ。
【請求項９】
中央部に貯水部への給水部を有している請求項５、６のいずれか１項に記載のプランタ。
【請求項１０】
請求項１〜９のいずれか１項に記載のプランタを複数用い、平面より見てある規則で集合させて所定の形状の植栽帯を形成することを特徴とする植栽帯形成方法。
【請求項１１】
植栽帯は、プランタが配列中心のまわりに１つの外向き円弧部を内向きにして配列されたほぼ円形状の密集合形態、囲い集合形態あるいはその一部または全体を利用した縁取り集合形態とする請求項１０に記載の植栽帯形成方法。
【請求項１２】
請求項１〜９のいずれか１項に記載のプランタを複数用い、平面より見てある規則で互いの外向き円弧部と内向き円弧部どうしを、単独またはおよび外向き円弧部と内向き円弧部との連続部状態にて寄せ合わせて、所定の形状に集合した植栽帯とすることを特徴とする植栽帯形成方法。
【請求項１３】
植栽帯は、プランタが１列以上に並んだ直線状、方形状、直方形状、三角形状または菱形状の密集合形態、囲い集合形態あるいはその一部または全体を利用した縁取り集合形態とする請求項１２に記載の植栽帯形成方法。
【発明の詳細な説明】
【技術分野】
【０００１】
本発明は、植物の栽培容器であるプランタとこれを用いた植栽帯形成方法に関するものである。
【背景技術】
【０００２】
プランタは、方形、矩形、円形、長円形といった平面形状、あるいは馬車、動物などを形象した形状を持ったものなどとして提供され、直接植栽することが一般に行われている。一方、複数のプランタを立体に配置したり（例えば、特許文献１参照。）、平面的に配列したり（例えば、特許文献２参照。）することが知られている。また、１つのプランタに複数の鉢を並べて受け入れ寄せ植するようなことも知られている（例えば、特許文献２、３参照。）。また、別に、屋上集合ガーデンプランタとして、平面から見て矩形な床パネルを所定の形状および広さの植栽帯となるように複数接続し、そのまわりを複数の直線状の側パネルとコーナ状の側パネルとを接続して囲い、植栽帯を形成することも知られている（特許文献４参照。）。
【特許文献１】特開平１０−００００３１号公報
【特許文献２】特開２００２−００００８３号公報
【特許文献３】特開２００３−００９６８７号公報
【特許文献４】特開２００３−３１００６０号公報
【発明の開示】
【発明が解決しようとする課題】
【０００３】
ところで、複数のプランタを並べ置いて直線状の植栽帯、縁取り状の植栽帯、あるいは特許文献２に記載されているような樹木などを囲う植栽帯を形成することが、従来から行われている。しかし、プランタが特許文献２、３に記載のような方形や矩形といった平面形状では、長円形であるような場合も含め、方形や矩形に連続した植栽帯や植栽帯をなして囲い、あるいは縁取りすることはできても、円形や円弧状に囲い、縁取りするには、プランタ間に大きな隙間が生じて連続性、集合密度が勢い低下する。特に、プランタに植栽鉢を複数収容して並べ置く場合、前記直線状や方形、矩形の植栽帯であればそれらの鉢がほぼ同じピッチで並ぶようにすることはできるが、円形状の密集合形態や囲い集合形態、縁取り集合形態とする場合、ピッチは各プランタどうしの間で大きく乱れる。
【０００４】
また、プランタが円形の平面形状では、方形、矩形、円形など、どのような集合形態の植栽帯に連続させようとしても相互間に隙間ができて連続性や密集合性に欠ける。しかも、鉢を複数収容して並べ置くのに、プランタが形成する植栽帯上で鉢がほぼ同じピッチで繰り返し並ぶようにするには、直線状や方形、矩形の植栽帯形状では４つの鉢を同一円上の等間隔位置に配置して対応できるが、配置に個性がなく、かつ、これ以外の配置では容易でない。
【０００５】
さらに、特許文献４に記載のものでは、必要な平面形状および広さに連続した植栽帯を形成するにも、その平面形状は方形状、矩形状、鉤型状、門型状といった角型の密集合形態、囲い集合形態あるいはその一部を利用した縁取り集合形態しか得られないし、全体が一体であるので大きくなるほど取り扱いにくく、小型プランタのような利点がなくなっていく。
【０００６】
本発明の主たる目的は、１つの平面形状にて、連続性よく直線状、矩形状、円形状、三角形状、菱形状の密集合形態、囲い集合形態あるいはその一部または全体を利用した縁どり集合形態といった各種の植栽帯を形成することができる、取り扱いやすいプランタとこれを用いた植栽帯形成方法を提供することにあり、さらなる目的は、１つのプランタにある複数の植栽ポケットがほぼ一定のピッチで並ぶようにすることにある。
【課題を解決するための手段】
【０００７】
上記のような主たる目的を達成するために、本発明のプランタは、正三角形のほぼ頂点部を中心としてほぼ同じ径で描かれる外向きに凸の外向き円弧と、これらの外向き円弧とほぼ同径で外接円関係をほぼ満足して連続する内向きに凸の内向き円弧とからなる平面形状を有したことを１つの特徴としている。
【０００８】
このような構成では、正三角形のほぼ頂点位置に中心を持つほぼ同径な３つの外向き円弧とこれらとほぼ同径の３つの内向き円弧とが外接円関係をほぼ満足して交互に連続した輪郭を持つ平面形状により、その全域を植栽に利用するにも方形や矩形、円形といった単純な一般形状に対して変化のある平面形態での植栽ができる。また、分散した植栽をするにも面積分布に対応して変化ある配置ができ、これによって空きスペース、ロススペースができずそれによる見苦しさがない。特に、複数のプランタ間では単独の外向き円弧部および内向き円弧部どうしは勿論、外向き円弧部と内向き円弧部との連続部分どうしでも外向き円弧部と内向き円弧部どうしを対向させることにより、互いをほぼ隙間なしに寄せ合わせることができる。このように寄せ合わせるときのプランタの向きや規則性の選択によって、一列以上の配列による直線状に密集合した植栽帯、方形状、矩形状、三角形状、円形状に密集合し並んだ直線状、方形状、矩形状、円形状、三角形状、菱形状といった、各種の密集合形態、囲い集合形態あるいはその一部または全体を利用した縁取り集合形態の植栽帯を形成することができるし、プランタ単独の容易な取り扱いはいささかも損なわれない。
【０００９】
また、前記各外向き円弧の内側に植栽ポケットを設けたことを他の特徴とするプランタの構成では、
前記１つの特徴における面積分布の利用を、３つの外向き円弧部がなす面積拡張部を有効利用した植栽ポケットにて実現し、３箇所の分散植栽ができる。しかも、これら植栽ポケットはプランタの前記寄せ合わせによるどのような集合形態においても、ほぼ同一ピッチを保って並ぶので寄せ植えに好適である。
【００１０】
また、各外向き円弧の内側と中央部とのそれぞれに植栽ポケットを設けたことを別の特徴とするプランタの構成では、
前記１つの特徴における面積分布の利用を、３つの外向き円弧部がなすプランタの中央部を残した面積拡張部と、これらの中央部に残したスペースとを有効利用した植栽ポケットにて実現し、４箇所の分散植栽ができる。しかも、外向き円弧部の内側における植栽ポケットどうし、中央部の植栽ポケットどうしは、それぞれ、プランタの前記寄せ合わせによるどのような集合形態においても、ほぼ同一ピッチを保って並び合うので寄せ植えにより好適である。
【００１１】
特に、外向き円弧および内向き円弧を、前記正三角形のほぼ頂点部を中心として、その正三角形の一辺の長さのほぼ１／２の径で描かれるものとする構成では、前記各種集合形態がプランタどうしの間の隙間をより無くして実現するのに好適となる。また、このようにしたプランタにおいて外向き円弧の内側にそれとほぼ同心的に配置した植栽ポケットどうし、あるいは中心点にほぼ同心に配置した植栽ポケットどうしは、前記各集合形態においてどの方向にもより同一ピッチで並ぶ特徴を発揮する。
【００１２】
前記各プランタにおいて、植栽ポケットの下まわりが植栽用の貯水部としてある、さらなる構成では、
水の吸い上げや根下ろしによる潅水を図ることができる。
【００１３】
また、前記１つの特徴のプランタに加え、さらに、各外向き円弧の内側に植栽ポケットを設け、これら植栽ポケットの下まわりを植栽用の貯水部とし、中央部に貯水部の水位を高さ変化で外部表示するフロートを設けた、さらなる構成では、
前記１つの特徴における面積分布の利用を、３つの外向き円弧部がなすプランタの中央部を残した面積拡張部を有効利用した植栽ポケットにて実現し、３箇所の分散植栽が、貯水部からの水の吸い上げや根下ろしによる潅水を図ってできるうえ、中央部に残したスペースを有効利用して貯水部の水位を表示して、貯水部への給水時期や給水限度などの給水情報を告知することができる。しかも、フロートによる水位表示部は３箇所の植栽部に囲まれて目立たず、外観されにくいので、体裁がよく悪戯されにくい上に、ユーザには給水意識があるので確認されやすく問題はない。
【００１４】
前記プランタの植栽ポケットは、直植えするものでもよいが、植栽鉢を嵌め合わせる凹部である、さらなる構成では、
植え込みや植え替えが植栽鉢ごと容易に行える。
【００１５】
また、植栽ポケットを持った蓋部と、貯水部を持った本体とに分離できる、さらなる構成では、
蓋部を植栽状態のまま持ち上げるか、取り外すことにより貯水部へ簡単に給水することができるし、排水することも貯水部を持った本体側単体で容易に行える。
【００１６】
また、前記貯水部を持ったプランタにおいて、中央部に貯水部への給水部を有している、さらなる構成では、
植栽状態のまま外部から内部の貯水部へ給水することができるので、植栽類を貯水部から持ち上げたり、取り外したりすることによる水漏れや水の垂れ落ちを回避することができる。また、給水部はまわりの植栽に隠されて目立たず、外観されにくいので、給水に便利な大きさや形状、構造を採り易い。
【００１７】
ここで、本発明に係る前記各場合のプランタは、それを複数用い、平面より見てある規則で集合させて所定の形状の植栽帯を形成することを１つの特徴とする植栽帯形成方法を提供することができる。
【００１８】
具体的には、植栽帯は、プランタが配列中心のまわりに１つの外向き円弧部を内向きにして配列された円形状の密集合形態、囲い集合形態あるいはその一部または全体を利用した縁どり集合形態とすることができる。
【００１９】
また、別に、本発明に係る前記各場合のプランタは、それを複数用い、平面より見てある規則で互いの外向き円弧部と内向き円弧部どうしを、単独またはおよび外向き円弧部の内向き円弧部とが連続する状態で寄せ合わせて、所定の形状に集合させて植栽帯とすることを他の特徴とする植栽帯形成方法をも提供する。
【００２０】
具体的には、植栽帯はプランタが１列以上に並んだ直線状、方形状、直方形状、円形状、三角形状または菱形形状の密集合形態、囲い集合形態あるいはその一部または全体を利用した縁取り集合形態とすることができる。
【００２１】
本発明のそれ以上の目的および特徴は、以下の詳細な説明および図面の記載によって明らかになる。本発明の各特徴は、それ単独で、あるいは可能な限りにおいて、種々な組合せで複合して採用することができる。
【発明の効果】
【００２２】
本発明に係るプランタの１つの特徴によれば、平面形状の全域を植栽に利用するにも一般形状に対して変化のある平面形態での植栽ができ、分散した植栽をするにも面積分布に対応して変化ある配置が、空きスペース、ロススペースなく実現する。特に、複数のプランタ間ではほぼ隙間なしに寄せ合わせて、多くのバリエーションでの植栽帯を形成することができて便利であり、しかも、プランタ単独の容易な取り扱いが保証される。
【００２３】
また、本発明のプランタの、他の特徴によれば、１つの特徴における面積分布の利用を、外向き円弧部がなす面積拡張部を有効利用した３箇所の植栽ポケットにて分散植栽を実現でき、複数のプランタを寄せ合わせるのに、植栽個所の配置を規則化することができる。
【００２４】
また、本発明のプランタの、別の特徴によれば、１つの特徴における面積分布の利用を、外向き円弧部によるプランタの中央部を残した面積拡張部と、中央部に残したスペースとを有効利用した４箇所の植栽ポケットにて分散植栽を実現して、しかも、複数のプランタを寄せ合わせるのに、植栽個所の配置を規則化することができる。
【００２５】
特に、外向き円弧および内向き円弧を、前記正三角形のほぼ頂点部を中心として、その正三角形の一辺の長さのほぼ１／２の径で描かれるものとすることにより、各種集合形態がプランタどうしの間の隙間をより無くして実現する。また、外向き円弧の内側にそれとほぼ同心的に配置した植栽ポケットどうし、あるいは中心点にほぼ同心に配置した植栽ポケットどうしは、前記各集合形態においてどの方向にもより同一ピッチで並ぶ。
【００２６】
前記各プランタにおいて、植栽ポケットの下まわりが植栽用の貯水部としてある、さらなる構成によれば、水の吸い上げや根下ろしによる潅水を図ることができる。
【００２７】
各外向き円弧の内側に植栽ポケットを設け、これら植栽ポケットの下まわりを植栽用の貯水部とし、中央部に貯水部の水位を高さ変化で外部表示するフロートを設けた、さらなる構成によれば、
前記１つの特徴における面積分布の利用を、外向き円弧部がなす面積拡張部を有効利用した３箇所の植栽ポケットにて分散植栽を実現して、貯水部からの水の吸い上げや根下ろしによる潅水が図れ、かつ中央部のスペースを有効利用して貯水部の水位表示ができる。しかも、水位表示部は植栽部に囲まれて体裁がよく悪戯されにくい上に、ユーザには容易に確認できる。
【００２８】
プランタの植栽ポケットは、植栽鉢を嵌め合わせる凹部である、さらなる構成によれば、植え付けや植え替えが植栽鉢ごと容易に行える。
【００２９】
植栽ポケットを持った蓋部と、貯水部を持った本体とに分離できる、さらなる構成によれば、蓋部を植栽状態のまま持ち上げるか、取り外すことにより貯水部へ簡単に給水することができるし、排水することも本体側単体で容易に行える。
【００３０】
貯水部を持ったプランタにおいて、中央部に貯水部への給水部を有している、さらなる構成によれば、植栽状態のまま外部から内部の貯水部へ給水することができるので、植栽類を貯水部から持ち上げたり、取り外したりすることによる水漏れや水のたれ落ちを回避することができる。また、給水部はまわりの植栽に隠されて目立たず、外観されにくいので、給水に便利な大きさや形状、構造を採り易い。
【００３１】
本発明に係る植栽帯形成方法の１つの特徴によれば、前記各場合のプランタを複数用い、平面より見てある規則で集合させて、プランタが配列中心のまわりに１つの外向き円弧部を内向きにして配列した円形状の密集合形態、囲い集合形態あるいはその一部または全体を利用した縁どり集合形態の植栽帯を形成でき、プランタ単独での容易な取り扱いを損なうことはない。
【００３２】
本発明の植栽帯形成方法の他の特徴によれば、プランタが１列以上に並んだ直線状、方形状、直方形状、円形状、三角形状または菱形状の密集合形態、囲い集合形態あるいはその一部または全体を利用した縁どり集合形態の植栽帯を形成することができ、プランタ単独での容易な取り扱いを損なうことはない。
【発明を実施するための最良の形態】
【００３３】
以下、本発明の実施の形態に係るプランタとこれを用いた植栽帯形成方法につき、図を参照しながら詳細に説明し、本発明の理解に供する。なお、以下の説明は本発明の具体例であって、特許請求の範囲の記載を限定するものではない。
【００３４】
本発明の実施の形態は、図１に示すように仮想の正三角形Ａのほぼ頂点Ａ１〜Ａ３部を中心としてほぼ同じ径Ｂで描かれる外向きに凸の外向き円弧Ｃと、これらの外向き円弧Ｃとほぼ同径で破線部分を含んで示すような外接円関係をほぼ満足して連続する内向きに凸の内向き円弧Ｄとからなる平面形状を有したプランタＰとしている。
【００３５】
これにより、プランタＰの材質や構造は特に問うことなく、正三角形Ａのほぼ頂点Ａ１〜Ａ３に中心を持つほぼ同径な３つの外向き円弧Ｃとこれらとほぼ同径の３つの内向き円弧Ｄとが外接円関係をほぼ満足して交互に連続した図１に示すような平面形状により、その全域をポット形状にして植栽に利用するにも、方形や矩形、円形といった単純な一般形状に対して変化のある、具体的には中心まわりに、均等であるが、３箇所ずつに分散した大きな凹凸変化のある平面形態での植栽ができる。これに対して、分散した植栽をするにも、前記のように中心まわりに、均等であるが、３箇所ずつに分散した大きな凹凸変化のある平面形態を作る面積分布に対応して、例えば図３に示すように植栽物７を３点配置するなど変化ある配置ができるし、このような配置によってプランタＰには図３に示すように空きスペース、ロススペースができず、それによる見苦しさがない。
【００３６】
特に、複数のプランタＰ間では、図１に示すように外向き円弧Ｃ部および内向き円弧Ｄ部の単独どうしは勿論、外向き円弧Ｃ部と内向き円弧Ｄ部との連続部分ＣＤどうしでも、外向き円弧Ｃ部と内向き円弧Ｄ部どうしを対向させることにより、ほぼ隙間なしに寄せ合わることができる。しかも、１つのプランタＰのまわりに寄せ合わせた複数の周辺プランタＰどうしも干渉し合わない近接配置ができる。これにより、複数のプランタＰを寄せ合わせて植栽帯を広めることができる。また、この場合、寄せ合わせた各プランタＰは相互の凹凸輪郭部が大きく入り組む結果、プランタＰ単体としては目立たず高い連続性、一体感が得られる。
【００３７】
このような形態のプランタＰどうしを全く隙間なしに寄せ合わ密集させる原理的な条件は、外向き円弧Ｃおよび内向き円弧Ｄの半径Ｂ＝正三角形Ａの一辺の長さの１／２とし、それらが外接円関係を満足して連続するようにすればよい。これを満足すると、寄せ合わせた各プランタＰの外向き円弧部の中心となる正三角形Ａの頂点Ａ１〜Ａ３のそれぞれは、隣接のものどうし正三角形Ａをなして規則正しく並ぶ。なお、プランタＰの形状や寸法の誤差、あるいはバラツキなどを考慮すると、図１に示すように少しの隙間Ｓを空けて寄せ合わせるように設計しておくのが好適である。これによっても、高い連続性や一体感はほとんど損なわれない。この場合、外向き円弧Ｃ部の半径Ｂは図１に示すように正三角形Ａの一辺の長さの１／２よりも小さくすればよい。しかし、適度の隙間や遊びをもってプランタＰどうしを寄せ合わせることを考えると、これらの寸法関係や外向き円弧Ｃ部と内向き円弧Ｄ部との外接円関係を満足した連続状態は厳密に満足する必要はない。
【００３８】
このような規則性から、寄せ合わせるときのプランタＰの向きや規則性の選択によって、一列以上に並んだ直線状、方形状、長方形状ないしは矩形状、三角形状、菱形状または円形状の密集合形態、囲い集合形態あるいはその一部または全体を利用した縁取り集合形態での植栽帯を形成することができる。
【００３９】
図４に示す例では、プランタＰを左右に配列して寄せ合わせるのに、１つの外向き円弧Ｃ部の向きを上下に交互に反転することにより、一列に並んだ配列状態での直線状の密集合形態をなした植栽帯を形成している。この場合、各プランタＰは外向き円弧Ｃと内向き円弧Ｄとの連続部分ＣＤどうしが入り組んで寄せ合わされている。
【００４０】
図５に示す例では、プランタＰを千鳥配置にて左右に配列して寄せ合わせるのに、１つの外向き円弧Ｃ部を上下に交互に反転することにより、上列のプランタＰと下列のプランタＰとの外向き円弧Ｃ部が互いに入り組み合い、かつ上列のプランタＰどうし、および下列のプランタＰどうしの、左右に張り出す外向き円弧Ｃどうしが付き合わせ状帯になる関係で図４に示す場合よりも幅の大きな直線状の密集合形態をなした植栽帯を形成している。この場合も、各プランタＰは外向き円弧Ｃと内向き円弧Ｄとの連続部分ＣＤどうしが入り組んで寄せ合わされている。
【００４１】
図６に示す例では、図４に示す例のプランタＰの配列を上下に繰り返すように展開し、ほぼ方形となる密集合形態の植栽帯を形成している。この場合、各プランタＰは、左右方向では外向き円弧Ｃと内向き円弧Ｄとの連続部分ＣＤどうしが入り組んで寄せ合わされ、上下方向では外向き円弧Ｃと内向き円弧Ｄどうしが入り組んで寄せ合わされている。このような配列を上下に広げる展開をすれば上下の矩形ないしは直線状の植栽帯となり、左右に広げる展開をすれば左右の矩形ないしは直線状の植栽帯となる。また、中央部のプランタＰを除く配列、ないしは周辺のみの配列とすれば、方形や矩形の囲いや集合形態、あるいはその一部または全体を利用した縁取り集合形態の植栽帯が形成できる。
【００４２】
図７に示す例では、中心となる１つのプランタＰの外回りに周辺のプランタＰを配置するのに、前記中心となる１つのプランタの外向き円弧Ｃ部に内向き円弧Ｄ部を寄せ合わせるプランタＰと、内向き円弧Ｄに外向き円弧Ｃ部を寄せ合わせるプランタＰとを交互に配置することにより、ほぼ円形状の密集合形態をなした植栽帯を形成している。この場合、各プランタＰは外向き円弧Ｃと内向き円弧Ｄどうしが入り組んで寄せ合わされている。中央部に位置している前記１つのプランタＰを除く配列、ないしは周辺のみの配列とすれば、ほぼ円形状の囲い集合形態やその一部または全体を利用した縁取り集合形態をなした植栽帯が形成できる。
【００４３】
図８に示す例では、正三角形の各辺において１箇所を除き、２つの外向き円弧Ｃ部が形成する向きでプランタがＰ４つ並ぶようにし、前記１箇所については１つの外向き円弧Ｃ部が形成する向きでプランタＰを並べ、それらの間にできる空きスペースを前記１箇所に配置したプランタＰと同じ向きとしたプランタＰを３つ配置して埋めることにより、正三角形状の密集合形態をなした植栽帯を形成している。この場合も、各プランタＰは外向き円弧Ｃと内向き円弧Ｄとの連続部分ＣＤどうしが入り組んで寄せ合わされている。また、中央の３つのプランタＰを除く配列、ないしは周辺のみの配列とすることで、三角形の囲いや縁取りの植栽帯が形成できる。なお、このような配列状態を三角形の１つの辺を境にした対称域に展開すれば菱形状の集合形態が得られるし、頂点部を境にした対称域に展開すれば砂時計状の集合形態が得られる。さらに四角形状、台形状、六角形状などにも展開する集合形態とすることもできる。さらに図８に示す正三角形の配列状態を４つ組み合わせてさらに大きな正三角形の植栽帯が得られるし、それ以上の大きさいとすることも同様にして得られる。
【００４４】
図９に示す例では、複数のプランタＰを配列中心まわりに、１つの外向き円弧Ｃ部が内向きとなるように隣接配置することにより円形状の囲い集合形態をなした植栽帯を形成している。この場合、各プランタＰは外向き円弧Ｃ部どうし、内向き円弧Ｄ部どうしが対向して隣接しており、互いの輪郭が入り組み合う集合にはなっていないが、ほぼ三角形状であるのを利用した密集合配列となっている。なお、プランタＰの集合数を少なくすれば、中央の空きスペースのない円形状の密集合形態とすることができる。
【００４５】
ここで、プランタＰの各外向き円弧Ｃ部の内側には植栽ポケット１を設けている。具体的には外向き円弧Ｃ部と同心となるように設けてある。また、平面より見て円形としてあるがこれに限られることはない。これにより、プランタＰの特異な平面形状での面積分布、つまり、３つの外向き円弧Ｃ部がなす面積拡張部を有効利用した３箇所の植栽ポケット１にて植栽位置を特定して分散植栽ができる。しかも、図４〜図８に示すような寄せ合わせ配列に見られるように、前記規則性から各植栽ポケット１はどの方向にもほぼ同じピッチで並び合うので、寄せ植えに好適である。
【００４６】
また、各プランタＰの植栽ポケット１の下まわりが植栽用の貯水部２としてあり、水の吸い上げや根下ろしによる潅水を図ることができる。図示する例では図２に示すように植栽ポケット１の底部にあるブリッジ部１ａに掛けた給水マット３を貯水部２内に垂らすことによって貯水部２の水を吸い上げ、植栽ポケット１内の培地に給水できるようにしている。これによって植栽物７の水耕栽培ができ、生育した根が貯水部２に根下がりすると植栽物７自体が吸水することができる。貯水部２は植栽物７の根を空気に曝す水位を保つのがその育成上好適であって、植栽ポケット１の底部に達しない所定の水位を越えないようにする図３に示すようなオーバーフロー用の排水穴４を側壁に設けてある。なお、給水マット３は不織布や発泡樹脂シートなど吸水性のある素材であればどのようなものでもよい。
【００４７】
プランタＰの植栽ポケット１は、直植えするものでもよいが、図２、図３に示すように植栽鉢５を嵌め合わせる凹部とすることにより、植え付けや植え替えが植栽鉢５ごと容易に行える。植栽鉢５はどのようなものでもよいが、苗を植え付けている簡易な樹脂ポットそのものを植付け状態のまま利用できる。この場合、前記給水マットが貯水部２から吸水することによる植栽物７への給水を図るのに、植栽鉢５の底部を図２に示すように切り除いて培地が給水マット３に接するようにするのが好適である。この場合、植栽ポケット１は前記給水構造上、底部にブリッジ部１ａを持った孔明き構造とするが、周壁にも図２に示すようなスリット１ｂや穴を設ければ水切れや材料の削減、軽量化などに有利である。
【００４８】
また、各プランタＰは植栽ポケット１が並ぶ中央部に、貯水部２の水位を高さ変化で外部表示するフロート６を設けてある。これにより、プランタＰの平面より見た面積分布を利用して、３つの外向き円弧Ｃ部がなすプランタＰの中央部を残した面積拡張部を有効利用した箇所の植栽ポケット１にて分散植栽を実現するのに併せ、中央部に残したスペースを有効利用して貯水部２の水位を表示し、貯水部２への給水時期や給水限度などの給水情報を告知することができる。しかも、フロート６による水位表示部は３箇所の植栽ポケット１における植栽物７に囲まれて目立たず、外観されにくいので、体裁がよく悪戯されにくい上に、ユーザには給水意識があるので容易に確認される。フロート６は発泡樹脂などからなる軸状のものとして天面に開口した保持穴８に上下動自在に嵌め合せてあり、貯水部２の水に浮きその水位に応じて上下動するようにしている。フロート６によって給水限界を表示すれば、オーバーフロー用の排水穴４は必須でなく、排水すると問題となる屋内での栽培に好適である。なお、フロート６の上下端には拡径部６ａを有し、保持穴８に無理嵌めするなどした後抜け止めとなるようにしている。上部の拡径部６ａは特に大きくフロート６の高さがわかりやすくしている。フロート６は保持穴８部のみによって浮沈動作を案内するようにしているが、上下２ヶ所で案内するようにしてもよい。
【００４９】
さらに、各プランタＰはポリプロピレンなどの樹脂製で、植栽ポケット１を持った蓋部１１と、貯水部２を持った本体１２との組合せ体として成形しやすくしている。また、蓋部１１と本体１２とは図２、図３に示す印籠嵌め部１３にて分離できるようにしている。これにより、蓋部１１を植栽状態のまま持ち上げるか、取り外すことにより貯水部２へ簡単に給水することができるし、排水することも貯水部２側単体で容易に行える。また、フロート６を上下２ヶ所で案内するのに、その案内部を蓋部１１側と本体１２側とで分担しあうことができ、具体的には、夫々の成形時に蓋部１１側では保持穴８として、本体１２側では底部から上方へ立ち上がる筒部や複数のガイド壁などとして一体成形することができる。
【００５０】
最後に、図１０に示す例では、プランタＰの各外向き円弧Ｃの内側と中央部とのそれぞれに植栽ポケット１を設けている。これにより、プランタＰの平面形状による面積分布の利用を、３つの外向き円弧ＣがなすプランタＰの中央部を残した面積拡張部と、これらの中央部に残したスペースとを有効利用した４箇所の植栽ポケット１により分散植栽ができる。この場合プランタＰがどのような形態に集合されても、外向き円弧Ｃの内側の植栽ポケット１どうし、中央部の植栽ポケット１どうしは、それぞれ同じピッチで並び合うので、寄せ植えにさらに好適である。この意味で中央部の植栽ポケット１はプランタＰの中心点と同心であるのが好適である。
【００５１】
なお、前記のように貯水部２を持ったプランタＰにおいて、中央部に貯水部２への給水部を有している構成とすると、植栽状態のまま外部から内部の貯水部２へ給水することができるので、植栽物７を貯水部２から持ち上げたり、取り外したりすることによる水漏れや水のたれ落ちを回避することができ、屋内などでの栽培に好適となる。また、このような給水部はまわりの植栽に隠されて目立たず、外観されにくいので、給水に便利な大きさや形状、構造を採り易い。このような給水部は図１０に符号２２を付して示しているように中央部の植栽ポケット１を充てて得られるし、図示しないが前記フロート６の保持穴８のまわりに形成することもできる。
【産業上の利用可能性】
【００５２】
本発明は、植物栽培に実用でき、種々な形態の広がりを持った植栽を行うのに好適である。
【図面の簡単な説明】
【００５３】
【図１】本発明の実施の形態に係るプランタの平面形状と複数のプランタの寄せ合わせ状態を示す摸式図。
【図２】図１のプランタの一部を断面して示す斜視図。
【図３】図１のプランタの植栽状態を示す斜視図。
【図４】図１のプランタの、直線状の密集合形態を示す配列図。
【図５】図１のプランタの、今１つの直線状の密集合形態を示す配列図。
【図６】図１のプランタの、方形状の密集合形態を示す配列図。
【図７】図１のプランタの、円形状の密集合形態を示す配列図。
【図８】図１のプランタの、正三角形状の密集合形態を示す配列図。
【図９】図１のプランタの、円形状の囲いないしや縁取り集合形態を示す配列図。
【図１０】本発明の実施の形態に係るプランタの別の例を示す斜視図。
【符号の説明】
【００５４】
Ａ  正三角形
Ａ１〜Ａ３  頂点
Ｂ  半径
Ｃ  外向き円弧
Ｄ  内向き円弧
ＣＤ  外向き円弧部と内向き円弧部との連続部分
Ｐ  プランタ
１  植栽ポケット
２  貯水部
３  給水マット
５  植栽鉢
６  フロート
７  植栽物
８  保持穴
１１  蓋部
１２  本体
２１  水
２２  給水部
【図１】
2004215655.tif 000003
【図２】
2004215655.tif 000004
【図３】
2004215655.tif 000005
【図４】
2004215655.tif 000006
【図５】
2004215655.tif 000007
【図６】
2004215655.tif 000008
【図７】
2004215655.tif 000009
【図８】
2004215655.tif 000010
【図９】
2004215655.tif 000011
【図１０】
2004215655.tif 000012